(57)【要約】      （修正有）【課題】皮膚操作、快適感、効率性及び安全性などの十分な剃毛性能特性を提供する。【解決手段】複数の刃の前にガード構造体を含み、前記ガード構造体が、丸い先端部を有し、かつ先端部の曲線状プロファイル上に配置されている細長い非可撓性硬質プラスチック突出部の複数の列により特徴付けられ、前記ガード構造体は、突き出るように、ハウジングを越えて延びており、前記突出部は、前記突出部間に谷部を含み、前記谷部は、前記先端部の曲線状プロファイルとは異なる、谷部の曲線状プロファイル上に配置され、前記谷部の曲線状プロファイルは、前記谷部に、剃毛助剤の保持を改善するための異なる断面積を提供する。【選択図】図３
2018126566.tif 000002
【特許請求の範囲】
【請求項１】
ハウジングを含むカートリッジを含むかみそりであって、前記ハウジングは、複数の刃の前にガード構造体を含み、前記ガード構造体が、丸い先端部を有し、かつ先端部の曲線状プロファイル上に配置されている細長い非可撓性硬質プラスチック突出部の複数の列により特徴付けられ、前記ガード構造体は、突き出るように、前記ハウジングを越えて延びており、前記突出部は、前記突出部間に谷部を含み、前記谷部は、前記先端部の曲線状プロファイルとは異なる、谷部の曲線状プロファイル上に配置され、前記谷部の曲線状プロファイルは、前記谷部に、剃毛助剤の保持を改善するための異なる断面積を提供する、かみそり。
【請求項２】
前記ガード構造体の前端部における前記先端部の曲線状プロファイルの内側に画成される、前記谷部の内方突出容積が、前記ガード構造体の後端部における前記先端部の曲線状プロファイルの内側に画成される、前記谷部の内方突出容積よりも大きい容積である、請求項１に記載のかみそり。
【請求項３】
内方突出容積が、０．０４４ｍｍ2〜０．０９８ｍｍ2の範囲である、請求項２に記載のかみそり。
【請求項４】
前記ガード構造体の前記曲線状プロファイルが、方程式
ｙ＝０．０３４８ｘ5−０．３０５８ｘ4＋１．０２８８ｘ3−１．７２２６ｘ2＋１．６３８８ｘ
（式中、ｘは、ガード構造体の前端部から刃に向かった距離であり、ｙは、ガード構造体の前部における第１の突出部に対する前記突出部の高さである）により表される、請求項１に記載のかみそり。
【請求項５】
前記複数の刃が前記ハウジング内に形成され、前記ガード構造体が、前記ハウジングの前端部を越えて１ｍｍ〜３ｍｍ延びる、請求項１に記載のかみそり。
【請求項６】
前記突出部の高さが、前記ガード構造体の底部から前記丸い先端部まで測定して、１．５０ｍｍ〜２．５０ｍｍの範囲である、請求項１に記載のかみそり。
【請求項７】
前記丸い先端部のそれぞれが、０．０５ｍｍ〜０．２０ｍｍの範囲の先端部半径を有する、請求項１に記載のかみそり。
【請求項８】
前記突出部の間の距離が、０．４ｍｍ〜０．６ｍｍの範囲である、請求項１に記載のかみそり。
【請求項９】
前記ガード構造体の上面上に少なくとも４つの突出部が存在する、請求項１に記載のかみそり。
【請求項１０】
前記ガード構造体の前端部から１番目の突出部の先端部が、２番目の突出部の先端部よりも０．４ｍｍ低い、請求項１に記載のかみそり。
【請求項１１】
前記硬質プラスチックが、高衝撃ポリスチレン、ポリフェニレンオキシド、ポリスチレン、ポリプロペレン（polypropelene）、アクリロニトリルブタジエンスチレン、又はこれらの任意の組み合わせから構成される、請求項１に記載のかみそり。
【請求項１２】
鋭利な先端部を有し、かつ前記先端部の曲線状プロファイル上に配置されている、細長い硬質プラスチック突出部の複数の列を更に含む、請求項１に記載のかみそり。
【発明の詳細な説明】
【技術分野】
【０００１】
本発明は、かみそり刃に関し、より詳細には、改善されたガード構造体に関する。
【背景技術】
【０００２】
湿式剃毛かみそりカートリッジは、通常、カートリッジハウジング、刃先を有する刃、刃の前の、ガード構造体を有するガード領域、及び、刃の後ろに配置された剃毛助剤又は潤滑ストリップを有するキャップ領域から構成されている。各構成要素は、剃毛中、独自の役割を有する。
【０００３】
ガード領域を詳細に参照すると、当技術分野にて既知のように、かみそりカートリッジのガード構造体は、典型的には、可撓性のフィン又は突出部の形態に配置されることが多い弾性又は軟性の材料を含み、これらは刃の前に配置されて、刃の前の皮膚を刺激し引き延ばすことにより皮膚の表面と係合し、快適感を改善すると共に、毛を切断するために皮膚を適切に位置付ける傾向を有する。かみそり刃の前に配置されたフィンガードは、毛の係合、位置合わせ、及び伸長に重要な役割を果たす一方、剃毛中に皮膚の操作も行うことは、当技術分野にて一般に既知である。
【０００４】
今日の市場における殆どのガード構成要素は、熱可塑性材料又はエラストマー材料から形成されており（例えば、可撓性フィン）、鋭利な尖頭（例えば、鋭い、先の尖った先端部）を備えた先端部を有する。フィンの先端部は、一般に、一定な皮膚接触のために、それらの全てが同一の高さにあるか、又は、フィンの一部分の全てが同一の高さにあるように配置されている。一般に、エラストマーのガードは、概して高価であり、また製造に時間を要し、これはガードを組み立てる殆どの方法が、一般に、その上にガードが典型的に支持されるハウジング全体の、一般に硬質プラスチックの基材（例えば、ポリスチレン）上にガードの可撓性材料を効果的に結合するために、二色射出成形プロセスを必要とするためである。
【発明の概要】
【発明が解決しようとする課題】
【０００５】
かみそりカートリッジのガード構造体を製造するコスト及び時間を低減すると共に、尚、皮膚操作、快適感、効率性及び安全性などの十分な剃毛性能特性を提供することが望ましいであろう。
【課題を解決するための手段】
【０００６】
一態様において、本発明は、先端部の曲線状プロファイル上に配置された、丸い（例えば、鋭くない、又は尖っていない）先端部を有する細長い硬質プラスチック突出部の列を含む。突出部の間の丸い谷部もまた、先端部の曲線状プロファイルのプロファイルとは異なってもよい谷部の曲線状プロファイル上に配置されている。谷部は内方突出容積を画成し、この容積は、ガード構造体の後端部から前端部へ進むにつれて増大する。好ましい実施形態において、前端部の容積は、剃毛助剤の捕捉及び分配を補助するように、後端部の内方突出容積よりも大きい。
【０００７】
少なくとも４つの突出部を有する一実施形態では、第２の突出部と第３の突出部との間の内方突出容積は最大であると共に、第１の突出部と第２の突出部との間の容積は、２番目に大きい容積である。
【０００８】
別の態様では、ガード構造体は、ハウジング内に形成されている刃の前に配置され、かつハウジングの前端部を越えて延びることが望ましい場合がある。
【０００９】
特に定義されない限り、本明細書で使用されている全ての技術的用語及び科学的用語は、本発明が属する分野の当業者に共通に理解されるものと同じ意味を有している。本明細書に記載されているものと同様又は同等の方法及び材料を、本発明を実施又は試験するために使用することが可能であるが、好適な方法及び材料を以下に記載する。本明細書で言及される全ての刊行物、特許出願、特許、及び他の参考文献は、参照することによりその全体を本明細書に組み込む。不一致である場合、定義を含め本明細書が優先する。加えて、材料、方法、及び例は、単に例示的なものであり、限定を意図したものではない。
【００１０】
本発明の他の特徴及び利点は、以下の詳細な説明及び特許請求の範囲から明らかとなるであろう。
【図面の簡単な説明】
【００１１】
本明細書は、本発明を構成するとみなされる主題を具体的に指摘しかつ明確に主張する特許請求の範囲を結論とするが、本発明は、添付の図面と関連してなされた以下の説明によって更に理解されると考えられ、添付の図面において同様の参照符号が、実質的に同一の要素を示すために用いられている。
【図１】本発明による、カートリッジ及び柄を有するかみそりの斜視図である。
【図２】図１のかみそりのかみそりカートリッジの正面図である。
【図３】本発明による、ガード構造体の突き出た部分を示す、図１のかみそりのかみそりカートリッジの側面図である。
【図４】本発明による、図２及び図３のかみそりカートリッジのガード構造体の断面側面図である。
【図５】曲率プロファイルを示す、本発明によるかみそりカートリッジのガード構造体の断面側面図である。
【図６】本発明による、図５の曲率プロファイルを表すグラフである。
【図７】本発明の代替的実施形態である。
【発明を実施するための形態】
【００１２】
湿式剃毛中の一貫した剃毛接近性（closeness）及び快適感などの有利な剃毛性能特性を提供するためには、適切な、低コストのガード構造体（例えば、一般に刃の前の領域として定義される）のための材料、特性及び構成を選択し、ガード構造体と皮膚と刃との間の相乗効果を活用することが望ましい可能性がある。
【００１３】
本発明において、用語「ガード構造体」は、剃毛中、皮膚操作のためにユーザーの皮膚に係合するか、又は皮膚を保持若しくは引き延ばすことができ、非限定的に１つ以上のフィン要素、又は細長い繊維状物若しくは突出部、又は突起から構成され得る物理的構造体を意味する。ガード構造体は、一般に、直立又は湾曲し、剛性又は可撓性であり、平面状又は非平面状の表面を有してもよく、連続的であるか、非連続的であるか、パターン化されているか、又はこれらの任意の組み合わせであってもよい。ガード構造体は、（例えば、ハウジングとして）単一の材料を使用する低コスト及び製造簡素性のために、射出成形法により作製されてもよい。
【００１４】
本発明のガード構造体は、ポリスチレン、ポリフェニレンオキシド、ポリプロペレン（polypropelene）、アクリロニトリルブタジエンスチレン、又は高衝撃ポリスチレン、又は可撓性ではない材料から構成されている硬質プラスチック材料から構成されることが好ましい。
【００１５】
しかしながら、本発明において、ガード構造体は、代替的に、非限定的にポリスチレン、エラストマー、ゴム若しくは他のポリマーなどの任意のタイプの材料の部分を有するか、又は、全体が該材料から構成されてもよいことが企図される。シリコーン、フルオロシリコーン、ポリイソプレン、ポリブタジエン、ポリイソブチレンなどのエラストマー、スチレン−エチレン−ブチレン−スチレン（ＳＥＢＳ）系熱可塑性エラストマー、スチレン−エチレン−プロピレン−スチレン（ＳＥＰＳ）系熱可塑性エラストマー、ポリオキシエチレン−ポリウレタン系エラストマーなどのコポリマー、又はアクリロニトリル−ブタジエン、ポリアクリレート及び天然ゴムなどのゴム、若しくはポリウレタン、ポリスチレン及びポリエチレンなどの他のポリマー、又はこれらの任意の組み合わせも、本発明において企図される。加えて、ガード構造体の材料は、上記の材料のうちの１つ以上（例えば、ポリマー、ゴム、及びそれらの複合材）を他の材料で改質したものを含んでもよい。更に、ガード構造体の材料は、繊維若しくは織物材料、天然材料（例えば、木材）、又は、エラストマー材料若しくは塑性材料でコーティングした金属を含んでもよい。
【００１６】
下記に記載するように、本発明のガード構造体は、一般に、刃の前のガード領域の上部、又は場合によっては最上部の皮膚接触面として定義され、望ましくは硬質プラスチック突出部要素の効果的な配置（例えば、好ましい実施形態では、剃毛方向に直交する）を利用し、硬質プラスチック突出部要素の細長い突出部は、曲線状の若しくは丸い先端部、又は尖端（鋭利な、又は鋭い先端部とは対照的に）、丸い谷部を有し、硬質プラスチック突出部要素の突出部の先端部及び先端部の谷部は、曲線又は円軌道上に配置され、また硬質プラスチック突出部要素は一緒になって、ユーザーの皮膚との望ましい接触をもたらして、皮膚操作に対してより良い影響を与え、かつ皮膚上に剃毛助剤材料（例えば、剃毛製剤、スキンジェル）をより均一に分配する能力を提供する。
【００１７】
本発明のガード構造体は、一般に、ハウジング構造体を越えて延びる。ハウジングの境界内に存在しないことによって、本発明のガード構造体は一般に、刃と係合するのに先立って、ユーザーの皮膚にとって有利な皮膚接触地点を提供する。
【００１８】
図１及び図２を参照すると、剃毛かみそり１０は、カートリッジ１２及び柄１４を含む。カートリッジ１２は、柄１４から分離可能であってもよく、又は分離可能でなくてもよい。カートリッジ１２は、シェル支持構造体（図示せず）又は任意の他の実現可能な機構を介して直接又は間接的に柄に接続されてもよく、またカートリッジ１２は、枢動軸を中心として柄に対して枢動してもよく、又はしなくてもよい。
【００１９】
図２に示すように、図１のカートリッジ１２の近接図が示されている。カートリッジ１２はハウジング１６を含み、ハウジング１６は、３つの刃１８、ガード領域１９内のガード構造体２０、及びキャップ２２を含む。刃１８の末端部に配置されているクリップ１７は、刃１８をハウジング１６内に保持することを補助する。
【００２０】
これらの要素はまた、かみそりカートリッジ１２の側面図である図３にも示されている。加えて、図３において、ガード構造体２０は、下記により詳細に記載される突出部を含む。
【００２１】
本発明において、図１〜３から理解し得るように、また図３から最も明確に理解し得るように、ガード構造体２０は、ハウジング１６の前縁を越えて外部に延び、図４に示すように、ハウジング１６の前端部３１から、好ましくは約１．００ｍｍ〜約３．００ｍｍ、最も好ましくは約１．１９ｍｍの深さ又は幅３４’、効果的に突き出ている。ハウジングにより必ず支持される、ガード構造体２０の部分３４”は、好ましくは約１．００ｍｍ〜約２．００ｍｍ、より好ましくは約０．５ｍｍであってもよく、したがってガードバー２５（ガードバー２５は、ガード構造体２０の後端部かつ刃の直前に配置されることが望ましい。刃は図示せず。）の深さを考慮に入れてもよいガード構造体２０の全体の深さ３４は、好ましくは約１．００ｍｍ〜約４．００ｍｍの範囲、より好ましくは約２．５２ｍｍであってもよい。
【００２２】
本発明において、突き出た、又は実質的に支持されていないガード構造体を有することの１つの利点は、刃が到達するのに先立って、又は、刃でユーザーの毛を切断するのに先立って、ユーザーの皮膚との早期の皮膚接触を提供するか、又は、皮膚接触を増大させることである。別の予期せぬ利点は、突き出た部分を有することによって、ガード構造体が、硬質プラスチックから構成されていても、ユーザーの皮膚と接触するときに、ある程度の可撓性が提供されることである。この可撓性は、ガードが突出部の下部に少量の材料を含むか、又は潜在的には高さ３３が低下した場合に向上される可能性がある。
【００２３】
ガード構造体２０の上面２１に配置された６つの突出部、３２ａ、３２ｂ、３２ｃ、３２ｄ、３２ｅ及び３２ｆの群を含むガード構造体２０の断面図を、図４に示す。６つの突出部が示されているが、本発明は、任意の実現可能な数の突出部、好ましくは少なくとも３つの突出部、より好ましくは４つの突出部、最も好ましくは６つの突出部を企図する。突出部は、細長く、刃の刃先に略平行に配置されている。
【００２４】
突出部３２ａ〜３２ｆ、及び／又は、好ましくは上部に突出部３２ａ〜３２ｆが配置されているガード構造体２０の全体は、ポリスチレン又は高衝撃ポリスチレンなどの硬質の材料（例えば、硬質の非可撓性プラスチック）から構成されることが好ましい。この材料は、８０〜５５、好ましくは７５〜６５、最も好ましくは約７０のショアＡ硬度を有してよい。値がこの範囲を超えて増加するにつれて、性能が低下する傾向がある場合があり、また値がこの範囲を下回って低下すると、製造上の問題が発生する場合がある。
【００２５】
ガード構造体の前端部２３から、ガード構造体２０の後端部２４に向かって、また刃１８（図示せず）に向かって、先端部が高くなっていき、ガード構造体２０の底部２２から上方に頂部、即ち上面２１まで、増大する高さで配置されている。上面は、一般に、丸い先端部の中心の頂部であってもよい。
【００２６】
突出部は、射出成形プロセスを用いる製造可能性を容易にするために、本発明では直立していることが望ましいが、互いに対して、又は刃に対して傾斜していてもよい。
【００２７】
第１の先端部３２ａ’は、ガード構造体の底部２２から約１．６１ｍｍの高さ３５ａにあり、第２の先端部３２ｂ’は、底部２２から約２．０５ｍｍの高さ３５ｂにあり、第３の先端部３２ｃ’は、底部２２から約２．２５ｍｍの高さ３５ｃにあり、第４の先端部３２ｄ’は、底部２２から約２．３５ｍｍの高さ３５ｄにあり、第５の先端部３２ｅ’は、底部２２から約２．４１ｍｍの高さ３５ｅにあり、第６の先端部３２ｆ’は、底部２２から約２．４４ｍｍの高さ３５ｆにある。
【００２８】
ガードの上面の最大高さ３３は、実質的に、高さ約２．５０ｍｍの第６の先端部３２ｆ’の付近に、又は第６の先端部３２ｆ’に達する。
【００２９】
先端部は、突出部の最大又は最高地点を表すことに留意する必要がある。
【００３０】
好ましくは、図示するように、先端部のいずれも同一の高さにない。第１の先端部３２ａ’の高さと、第２の先端部３２ｂ’の高さとの間の距離は、残りの先端部の高さの間の距離と比較して、最大の相違であり得ることに留意する必要がある。本発明では、第１の先端部３２ａ’の高さ３５ａと、第２の先端部３２ｂ’の高さ３５ｂとの間の距離は、隣接する次の先端部及び／又は残りの先端部の高さの間の距離の約２倍であり得る。例えば、第１の先端部３２ａ’は、望ましくは第２の先端部３２ｂ’よりも約０．４ｍｍ低くてもよいと共に、第２の先端部の高さ３５ｃと第３の先端部の高さ３５ｄとは、約０．２ｍｍ異なってもよい。
【００３１】
加えて、本発明によれば、第２の先端部３２ｂ’は、好ましくは第３の先端部３２ｃ’よりも約０．２ｍｍ低くてもよいと共に、第３の先端部３２ｃ’は、好ましくは第４の先端部３２ｄ’よりも約０．１ｍｍ低くてもよく、第４の先端部３２ｄ’は、第５の先端部３２ｅ’よりも約０．１ｍｍ低くてもよく、第５の先端部３２ｅ’は、第６の先端部３２ｆ’よりも約０．１ｍｍ低くてもよい。このように、突出部の第２の先端部３２ｂ’は、第２の先端部３２ｂ’の高さが近隣の先端部、３２ａ’及び３２ｃ’に対して最も異なるように配置されてもよい。
【００３２】
突出部の様々な高さ及び高さの差に関して特定の及び一般に好ましい値を上記に提供するが、これらの値は、本発明により企図されるように、約＋／−０．５ｍｍ変動してもよい。
【００３３】
好ましい高さ配置は、一般に、ユーザーの皮膚が引き延ばされて滑らかにされ、平坦化され、切刃に一様に提供されることを可能にし得る。この構成は、ハウジング及びガードに関して１種の材料を有することによって、低コストという製造上の問題解決を提供する一方で、保護機能も提供する。
【００３４】
本発明の突出部は、その中心から中心まで、好ましくは約０．４ｍｍ〜約０．６ｍｍ、互いに離間していてもよい。
【００３５】
最初の突出部３２ａの前側から最後の突出部３２ｆの後側までの距離は、約２．５３ｍｍである。代替的に、この距離は、２．０ｍｍ〜３．５ｍｍであってもよい。
【００３６】
先行技術によるフィンは一般に鋭利であるが、本発明の先端部は丸いか、又は曲線状であることが望ましく、したがって、鋭利な又は鋭い、先の尖った先端部ではない。本発明の先端部は丸いため、本発明の先端部３２ａ’、３２ｂ’、３２ｃ’、３２ｄ’、３２ｅ’及び３２ｆ’の先端部の曲率半径４２は、それぞれ好ましくは約０．０５ｍｍ〜約０．２０ｍｍの範囲であってもよい。図示していないが、先端部３２ａ’、３２ｂ’、３２ｃ’、３２ｄ’及び３２ｅ’に関する曲率半径は、先端部３２ｆ’の曲率半径４２に関して示すように、各先端部に関して対応する位置に配置される。
【００３７】
使用時、本発明の突出部は、刃の前の皮膚を刺激し、平坦化し、引っ張り、及び／又は皮膚と係合する傾向を有し、快適感及び毛を切断するための皮膚の適切な位置付けを向上させる傾向を有する。
【００３８】
加えて、本発明のガード構造体は、突出部の間の、及び先端部の間の谷部又は空間（内方突出容積）を含む（図５により詳細に示す）。谷部は、皮膚との接触を提供して摩擦を増大させ、このことは、剃毛助剤又は製剤を分散させるか又は分配してユーザーの皮膚にわたって均一に広げることを可能にする。この谷部の配置により、洗い流し及び屑の除去が容易となる。
【００３９】
曲線状プロファイル上の丸い先端部を有する硬質プラスチック突出部は、第１の刃が係合する直前の第１の皮膚接触部材としての強固な構造体を提供して、皮膚の引き延ばしを改善し、また快適感を改善する。
【００４０】
突出部には実質的な可撓性又は弾性がないため、ユーザーは、より強く押圧して第１の刃の露出形状を調整する必要がなく、したがって押圧が軽くなることにより、快適感も改善される。
【００４１】
図５を参照すると、図４の突出部の先端部は、曲線５１により接続されている。加えて、図４の先端部の間に各谷部５２ａ、５２ｂ、５２ｃ、５２ｄ、５２ｅ及び５２ｆが散在し（interspersed）、これもまた曲線５３により接続されて示されている。谷部地点５２ａ'、５２ｂ'、５２ｃ'、５２ｄ'、５２ｅ'及び５２ｆ'は、それぞれ、突出部の間に配置された、各谷部の最小又は最低地点を表すことに留意する必要がある。
【００４２】
各谷部は、これらが丸いため、谷部５２ｄに関して図４に示すような曲率半径４４を有する。谷部の曲率半径４４は、それぞれ、好ましくは約０．０５ｍｍ〜約０．２０ｍｍの範囲であり得る。図４には全部の谷部に関して図示されていないが、谷部の曲率半径は、地点５２ｄ’における先端部５２ｄに関する曲率半径４４に関して示すものと同一の、残りの各谷部に関するそれぞれの位置に配置されている。
【００４３】
先端部の曲線プロファイル５１と、突出部の先端部の間の谷部地点の曲線プロファイル５３とは、同一であってもよく、又は同一でなくてもよい。
【００４４】
任意の曲線状プロファイルが一般に実現可能であり得るが、曲線５１上の先端部を含み得る、ガード構造体の曲線状プロファイルは、好ましくは以下の方程式（１）により表すことができる。
【００４５】
（１）  ｙ＝０．０３４８ｘ5−０．３０５８ｘ4＋１．０２８８ｘ3−１．７２２６ｘ2＋１．６３８８ｘ、
式中、ｘは、ガード構造体の前端部２３から刃に向かった距離を表し、ｙは、ガード構造体の前端部２３における第１の突出部に対する突出部の高さを表す。
【００４６】
一般に上記の方程式（１）により表される、図４又は図５の突出部の先端部のガード構造体曲線状プロファイル５１のグラフを、図６に示す。
【００４７】
図６のグラフにおいて、プロファイル曲線の接点（例えば、３２ｆ’、２３ｄ’など）は、図５に示した各突出部上の実際の最高地点であってもよく、又は最高地点でなくてもよいが、簡素さのためにこの方法で表したことに留意する必要がある。
【００４８】
先端部（又は、好ましくは突出部の最高地点）３２ａ’、３２ｂ’、３２ｃ’、３２ｄ’、３２ｅ’及び３２ｆ’の間に散在している、図５の谷部の最低地点５２ａ’、５２ｂ’、５２ｃ’、５２ｄ’、５２ｅ’及び５２ｆ’の曲線５３もまた、図５のような類似した曲線状プロファイルのグラフ（例えば、先端部プロファイル曲線５１からのオフセット曲線）又は好ましくは先端部の曲線状プロファイルのそれとは異なる非線形の曲線状プロファイル（図示せず）により表すことができる。異なる曲線を有することは、内方突出容積、即ち谷部の断面積（図５に示す）が変わることを助け、このことは、ひいては、下記により詳細に述べるように、剃毛製剤の保持及び皮膚上の分配を改善する能力を提供する。
【００４９】
各突出部の最高地点は、全方向にて一般に＋／−０．１ｍｍのオーダーで変動してもよいことに注目される。この変動に起因して、結果として得られる本発明の曲線は変化し得、それにより方程式（１）の修正方程式がもたらされる。様々な理由によりばらつきが生じる場合があり、その理由としては、本発明のガード構造体の作製に好ましい方法である製造プロセスの結果におけるばらつき（例えば、射出成形による）が挙げられるが、これに限定されない。
【００５０】
図５を参照すると、内方突出容積５５ａ、５５ｂ、５５ｃ、５５ｄ及び５５ｅは、一般に、曲線５１内側の、隣接した突出部の先端部の間に画成されることが可能な容積量を示している。本発明は、内方突出容積が、一般に互いに異なり得ること、ガード構造体の後端部からガード構造体の前端部に進むにつれて、一般に最低から最高へと増大すること、いくつかの内方突出容積が実質的に同一であること、容積５５ｂが容積５５ｃよりも大きい場合があること、及び、これら両方が残りの容積よりも大きい容積であること、を企図することが注目される。
【００５１】
例えば、一般に、前端部の内方突出容積（例えば、５５ａ、５５ｂ）は、後端部に向かった内方突出容積（例えば、５５ｃ、５５ｄ及び５５ｅ）よりも大きいことが望ましい可能性がある。任意の実現可能な範囲の容積値が本発明により企図されるが、図５に示すように、値は好ましくは、内方突出容積５５ａに関して約０．０８２ｍｍ2、内方突出容積５５ｂに関して約０．０９８ｍｍ2、内方突出容積５５ｃに関して約０．０５９ｍｍ2、内
方突出容積５５ｄ及び５５ｅに関して約０．０４４ｍｍ2であってもよい。先頭の谷部の内方突出容積（例えば、５５ａ）の百分率で表すと、５５ａを１００％として、残りの内方突出容積は、以下のようなものであってもよい。内方突出容積５５ｂは、内方突出容積５５ａの約１２０％、内方突出容積５５ｃは、内方突出容積５５ａの約７２％、内方突出容積５５ｄ及び５５ｅは、両方とも内方突出容積５５ａの約５４％である。
【００５２】
概ね増大する容積配置を有することの利点は、特に前端部のガード構造体領域内において、突出部の間に散在する谷部内に、より大量の剃毛助剤材料（又は剃毛製剤）を捕捉する能力であり、前端部のガード構造体が初期の皮膚接触領域であるため、特に、より大量の剃毛助剤材料が可能となり、またユーザーの皮膚にわたって剃毛助剤材料をより良好に分配することができる。ユーザーの皮膚上に、より大量の剃毛助剤の分配を提供する能力は、不快感を緩和し、また毛の潤滑化を継続する点で有利である。理論的には、そのような容積配置により、ユーザーが最初に剃毛助剤材料を自身の皮膚に適用した後、ガードにより剃毛助剤材料が完全に拭い去られるのではなく、残留させるか、又は、続くストロークにて再び適用することが可能となり得、このこともまた同様の理由により望ましい特性であり得る。
【００５３】
本発明の突出部の全部ではないが実質的に殆どが、丸い先端部を有することが望ましい。本発明は、突出部のいくつかが、丸くなく、鋭い又は鋭利な先端部を有し、したがってガード構造体が丸い先端部と鋭利な先端部との混合を有する突出部を有する、代替的実施形態を企図している。
【００５４】
図７は、そのようなガード構造体の代替的実施形態を示し、ここで配置は、一般にガード構造体７０の後端部７４に向かって配置されていることが望ましい突出部７２ｄ、７２ｅ及び７２ｆの鋭い先端部７２ｄ’、７２ｅ’及び７２ｆ’のそれぞれと、それぞれガード構造体の前端部７３に向かった突出部７２ａ、７２ｂ及び７２ｃの丸い先端部７２ａ’、７２ｂ’及び７２ｃ’とを示す。突出部の全体が硬質プラスチックから形成されている場合、このようにして、鋭い、先の尖った硬質の先端部ではなく、丸い先端部が最初にユーザーの皮膚に接触することによって、より高い初期快適感が提供される。加えて、図７の先端部は、尚、図６と同一又は同様の曲線プロファイルに沿って、図示されるように配置されてもよい。
【００５５】
本明細書で開示する寸法及び値は、列挙された正確な数値に厳密に限られるものとして理解されるべきではない。むしろ、特に明記しない限り、かかる各寸法は、列挙される値及びその値前後の機能的に同等の範囲の両方を意味することを意図する。例えば、「４０ｍｍ」と開示された寸法は、「約４０ｍｍ」を意味することを意図する。
【００５６】
本明細書で引用されているあらゆる文献は、あらゆる相互参照又は関連する特許又は特許出願を含め、明示的に除外されたり、別段に限定されたりしている場合を除き、その全体が参照により本明細書に組み込まれる。いずれの文献の引用も、こうした文献が本願で開示又は特許請求される任意の発明に対する先行技術であることを容認するものではなく、また、こうした文献が、単独で、あるいは他の任意の参照文献との任意の組み合わせにおいて、こうした発明のいずれかを教示、示唆又は開示していることを容認するものでもない。更に、本文書における用語の任意の意味又は定義が、参照することによって組み込まれた文書内の同じ用語の意味又は定義と矛盾する限りにおいて、本文書におけるその用語に与えられた意味又は定義が適用されるものとする。
【００５７】
本発明の特定の実施形態が例示され記載されてきたが、本発明の趣旨及び範囲から逸脱することなく他の様々な変更及び修正をなすことができることが当業者には自明であろう。したがって、本発明の範囲内に含まれるそのような全ての変更及び修正は、添付の特許請求の範囲にて網羅することを意図したものである。
【図１】
2018126566.tif 000003
【図２】
2018126566.tif 000004
【図３】
2018126566.tif 000005
【図４】
2018126566.tif 000006
【図５】
2018126566.tif 000007
【図６】
2018126566.tif 000008
【図７】
2018126566.tif 000009
【外国語明細書】
2018126566000001.pdf